(57)【要約】【課題】木質柱と連結される差込体を、基礎上に設置される台座体にスリットを介して取り付ける構成を前提として、台座体を手間なく効率良く基礎上に固定することが可能で、設置作業性を格段に向上することができる木質柱用柱脚金物を提供する。【解決手段】中空箱体形状で、周囲一方に開口が形成され、底壁部３ａがアンカーボルトで基礎上に接合固定される台座体３と、台座体の天井壁部３ｅ上に設置される木質柱の柱脚部に柱高さ方向へ差し込むための差込体５と、台座体の天井壁部を貫通して形成され、差込体の下端接合部１６ｃが挿入され溶接接合されるスリット１５とを備え、差込体の下端接合部は、その下縁が天井壁部の下面３ｇとほぼ面一となるように、天井壁部の厚さに納まる寸法で形成される。【選択図】図２
2019090166.tif 000002
【特許請求の範囲】
【請求項１】
中空箱体形状で、周囲一方に開口が形成され、底壁部が接合部材で基礎上に接合固定される台座体と、
該台座体の天井壁部上に設置される木質柱の柱脚部に柱高さ方向へ差し込むための差込体と、
上記台座体の上記天井壁部を貫通して形成され、上記差込体の下端接合部が挿入され溶接接合されるスリットとを備え、
上記差込体の上記下端接合部は、その下縁が上記天井壁部の下面とほぼ面一となるように、該天井壁部の厚さに納まる寸法で形成されることを特徴とする木質柱用柱脚金物。
【請求項２】
前記天井壁部の前記下面に面する前記スリットの下縁には、前記差込体の前記下端接合部を溶け込み溶接するための開先が形成されることを特徴とする請求項１に記載の木質柱用柱脚金物。
【請求項３】
前記スリットは、前記天井壁部に、その中央部を避けて、周縁部に形成されることを特徴とする請求項１または２に記載の木質柱用柱脚金物。
【請求項４】
前記差込体は平面十字形状に形成され、該差込体には、木質柱に貫入されるドリフトピンを挿通するための孔部が、木質柱の横向き前後左右方向に向かうようにして形成されることを特徴とする請求項１〜３いずれかの項に記載の木質柱用柱脚金物。
【請求項５】
平面十字形状の前記差込体は、２枚のプレート材から構成され、これらプレート材には、これらを互いに上下方向から嵌合させる縦向きの切り込みがそれぞれ形成され、該各切り込みは、一方の上記プレート材で他方の上記プレート材を挟持する幅狭部と、ドリフトピンが木質柱の横方向に移動するのを許容するための幅広部とを有することを特徴とする請求項４に記載の木質柱用柱脚金物。
【発明の詳細な説明】
【技術分野】
【０００１】
本発明は、木質柱と連結される差込体を、基礎上に設置される台座体にスリットを介して取り付ける構成を前提として、台座体を手間なく効率良く基礎上に固定することが可能で、設置作業性を格段に向上することができる木質柱用柱脚金物に関する。
【背景技術】
【０００２】
木質柱を基礎側に固定するための木質柱用柱脚金物として、特許文献１が知られている。特許文献１の「柱脚用接合金具及び建築構造体」は、柱脚用接合金具の強度に大きな影響を与えず変形能力を向上させた柱脚用接合金具及びそのような柱脚用接合金具を使用して柱を支持するようにした建築構造体を提供することを課題とし、建築用の基礎の上に設置されて柱の下端を支持する柱脚用接合金具において、上下に間隔を開けて配置された受け板及びベース板と、受け板及びベース板の両端寄り位置に対向して配置された脚板とによって構築された方形のボックス部と、ボックス部の上部位置に立設され、受け板の脚板間に形成されたスリットに対してその下部側が挿入されて固定された差込み板とを備えるようにし、差込み板に下縁側に開口した切り欠き状凹部を形成して構成されている。
【０００３】
特許文献１では、差込み板は近接するスリットを構成する受け板との間と脚板との間で溶接によって固定され、切り欠き状凹部は差込み板の固定状態において下縁から受け板の上方位置まで及び、そして、差込み板は両脚板の間隔が狭まるため幅方向に圧縮され、また、差込み板の圧縮に伴って脚板は内側に寄せられて変形するようになっている。すなわち、差込み板は、切り欠き状凹部が両脚板間に位置するように、ボックス部内方に配置され、両脚板に溶接して固定されている。
【先行技術文献】
【特許文献】
【０００４】
【特許文献１】特開２０１３−１６７１３３号公報
【発明の概要】
【発明が解決しようとする課題】
【０００５】
木質柱用柱脚金物は、断面寸法が木質柱と同寸の、例えば１０５角の、木質柱直下と木製土台側方との双方に納まる中空箱体形状のボックス部ないしは台座体を備えるのが一般的である。そして、この中空箱体形状のボックス部等の内部空間において、基礎に定着したアンカーボルトにナットを締結することで、当該ボックス部等を基礎上に設置固定するようにしている。ボックス部等の内部空間が狭いと、ナットの締結作業を手間なく効率良く行うことはできない。
【０００６】
特許文献１では、受け板のスリットを介してボックス部に挿入した差込み板を、当該ボックス部の両脚板に溶接するようにし、これにより、ボックス部内方に差込み板を配置する構成であることから、ボックス部内方の空間が狭く、締結作業に手間取るものであり、そして、適切な応力伝達を確保するために差込み板と両脚板との溶接長を長くすれば長くするほど、ナットの締結が至難となって、接合金物の設置作業性に劣るという課題があった。
【０００７】
本発明は上記従来の課題に鑑みて創案されたものであって、木質柱と連結される差込体を、基礎上に設置される台座体にスリットを介して取り付ける構成を前提として、台座体を手間なく効率良く基礎上に固定することが可能で、設置作業性を格段に向上することができる木質柱用柱脚金物を提供することを目的とする。
【課題を解決するための手段】
【０００８】
本発明にかかる木質柱用柱脚金物は、中空箱体形状で、周囲一方に開口が形成され、底壁部が接合部材で基礎上に接合固定される台座体と、該台座体の天井壁部上に設置される木質柱の柱脚部に柱高さ方向へ差し込むための差込体と、上記台座体の上記天井壁部を貫通して形成され、上記差込体の下端接合部が挿入され溶接接合されるスリットとを備え、上記差込体の上記下端接合部は、その下縁が上記天井壁部の下面とほぼ面一となるように、該天井壁部の厚さに納まる寸法で形成されることを特徴とする。
【０００９】
前記天井壁部の前記下面に面する前記スリットの下縁には、前記差込体の前記下端接合部を溶け込み溶接するための開先が形成されることを特徴とする。
【００１０】
前記スリットは、前記天井壁部に、その中央部を避けて、周縁部に形成されることを特徴とする。
【００１１】
前記差込体は平面十字形状に形成され、該差込体には、木質柱に貫入されるドリフトピンを挿通するための孔部が、木質柱の横向き前後左右方向に向かうようにして形成されることを特徴とする。
【００１２】
平面十字形状の前記差込体は、２枚のプレート材から構成され、これらプレート材には、これらを互いに上下方向から嵌合させる縦向きの切り込みがそれぞれ形成され、該各切り込みは、一方の上記プレート材で他方の上記プレート材を挟持する幅狭部と、ドリフトピンが木質柱の横方向に移動するのを許容するための幅広部とを有することを特徴とする。
【発明の効果】
【００１３】
本発明にかかる木質柱用柱脚金物にあっては、木質柱と連結される差込体を、基礎上に設置される台座体にスリットを介して取り付ける構成を前提として、台座体を手間なく効率良く基礎上に固定することができ、設置作業性を格段に向上することができる。
【図面の簡単な説明】
【００１４】
【図１】本発明に係る木質柱用柱脚金物の好適な一実施形態を示す木造建物に使用している様子の正面図である。
【図２】図１に示した木質柱用柱脚金物の正面図である。
【図３】図２中、Ａ−Ａ線矢視断面図である。
【図４】図２に示した木質柱用柱脚金物の底面図である。
【図５】図２に示した木質柱用柱脚金物の天井壁部を説明する説明図である。
【図６】図２に示した木質柱用柱脚金物の差込体を説明する説明図である。
【図７】図２の木質柱用柱脚金物の天井壁部と差込体の組立状態を示す天井壁部を上方から見下ろした図である。
【図８】図２の木質柱用柱脚金物の天井壁部と差込体の接合状態を示す天井壁部を下方から見上げた図である。
【発明を実施するための形態】
【００１５】
以下に、本発明に係る木質柱用柱脚金物の好適な一実施形態を、添付図面を参照して詳細に説明する。本実施形態に係る木質柱用柱脚金物１は図１〜図４に示すように、主に、基礎２上に設けられる台座体３と、台座体３の上に設けられ、当該台座体３上に設置される木質柱４の柱脚部４ａと連結するための差込体５とから構成される。
【００１６】
台座体３は、平板をＵ字状に折り曲げて形成されたＵ字状材により、底壁部３ａ及びこの底壁部３ａの左右両端から立ち上げられた左右一対の側壁部３ｂ，３ｃが形成され、Ｕ字状材の後部に溶接接合された平板材により、後壁部３ｄが形成されると共に、当該平板材及びＵ字状材の上部に溶接接合される平板材によって、天井壁部３ｅが形成されて構成され、これにより、台座体３は、側壁部３ｂ，３ｃ及び後壁部３ｄで周囲三方が塞がれ、周囲一方である前方に開口６（図３参照）が形成された剛強な中空箱体形状に形成される。方向の例示については、左右方向は前後方向であっても良いし、従って、前後方向は左右方向であっても良い。
【００１７】
台座体３は底壁部３ａで基礎２上に設置される。この台座体３には、基礎２上に設けられて土台を構成する木質梁７が、前後左右方向から、その側壁部３ｂ，３ｃ及び後壁部３ｄや前方の開口６に対し突き当てる向きで配置される。また、台座体３の天井壁部３ｅ上には、木質柱４の柱脚部４ａが設置される。
【００１８】
木質柱４及び木質梁７は通常、同寸法の正方形断面で形成され、台座体３の外形寸法は、これら木質柱４及び木質梁７の断面寸法に合わせられて、これにより、台座体３の外形形態は、ほぼ立方体状の中空箱体状に形成される。
【００１９】
台座体３内方の中空な内部空間Ｓを区画形成する底壁部３ａには、その中央に位置させて、台座体３を基礎２上に接合固定するための接合部材であるアンカーボルト８が挿通される穴部９が上下方向に貫通形成される。穴部９は、基礎２から上向きに突出されるアンカーボルト８の位置と、台座体３上に設けられる木質柱４の柱芯の位置との位置ずれを許容して、台座体３を基礎２上に設置できるように、アンカーボルト８のボルト径よりも大きな穴径で形成される。
【００２０】
左右一対の側壁部３ｂ，３ｃのうち、一方の側壁部（図中、右側壁部３ｃ）と後壁部３ｄとには、木質梁７の長さ方向端部に埋設される連結金具１０のナット１１と締結されて台座体３を木質梁７に連結するボルト１２を挿通するための挿通孔１３（図２及び図３参照）が適宜個数貫通形成される。
【００２１】
挿通孔１３が形成されたこれら側壁部３ｃ及び後壁部３ｄには、スペーサ１４を介して、木質梁７の長さ方向端部が連結される。他方の側壁部（図中、左側壁部３ｂ）については、別途基礎２に固定された木質梁７の長さ方向端部が、スペーサ１４を介して、非接合で突き当てられるようになっている（図１参照）。
【００２２】
台座体３の天井壁部３ｅ、すなわち天井壁部３ｅを構成する平板材には、追って詳述するが、図５にも示すように、台座体３に差込体５を組み付けるためのスリット１５が上下方向に貫通形成される。図５（Ａ）は、天井壁部（平板材）３ｅの底面図、図５（Ｂ）は、図５（Ａ）中、Ｂ−Ｂ線矢視断面図である。
【００２３】
差込体５は、平坦なプレート材１６を用いて形成され、木質柱４の柱脚部４ａに柱高さ方向へ形成される切り溝に差し込むために、台座体３の天井壁部３ｅ上に、木質柱４の高さ方向に立てて設けられる。プレート材１６は、長さ方向を柱高さ方向に向けて用いられる。
【００２４】
本実施形態にあっては、差込体５は図６及び図７にも示すように、プレート材１６を２枚一組用いて、平面十字形状に形成される。図６（Ａ）は、２枚のうち、一方のプレート材１６を示す正面図、図６（Ｂ）は、他方のプレート材１６を示す正面図である。
【００２５】
差込体５を構成するプレート材１６単体について、まず説明する。差込体５は、プレート材１６が１枚で構成されていても良い。
【００２６】
差込体５を構成するプレート材１６の上下方向の下方部分には、下向きで凹部１６ｄが形成され、この凹部１６ｄにより、プレート材１６の下方部分の幅方向には、プレート材１６の上方部分に比し、プレート材１６の断面積が減少されて、プレート材１６の長さ方向、すなわち木質柱４の高さ方向への引張変形能力に富んだ一対の脚部１６ａが形成される。
【００２７】
図１に示すように、プレート材１６の上方部分には、木質柱４に形成されるドリフトピン挿通用のピン孔（図示せず）と連通され、木質柱４に貫入されるドリフトピン１７が挿通される孔部１６ｂがプレート材１６の幅方向両側に同じ配列で、適宜個数形成される。木質柱４のピン孔からプレート材１６の孔部１６ｂに亘ってドリフトピン１７が貫入されることにより、木質柱４とプレート材１６とが一体的に連結される。
【００２８】
プレート材１６の各脚部１６ａの下端側には、台座体３の天井壁部３ｅに形成されたスリット１５に挿入される下端接合部１６ｃが形成される。詳細には、脚部１６ａの下端側には、脚部１６ａの下縁から天井壁部３ｅの厚さ分の上下方向高さ位置（図中、寸法Ｈで示す。）に、凹部１６ｄへ向けて、脚部１６ａを天井壁部３ｅの上面３ｆに係止させるための係止突起１６ｅが形成され、この係止突起１６ｅよりも下方がスリット１５に挿入される下端接合部１６ｃとして形成される。
【００２９】
下端接合部１６ｃの上下方向寸法Ｈは、天井壁部３ｅの厚さ分の高さ位置に形成された係止突起１６ｅにより、天井壁部３ｅの厚さに納まる寸法で形成される。そして、プレート材１６の脚部１６ａ、すなわち差込体５を台座体３に取り付ける際、係止突起１６ｅは、天井壁部３ｅに係止されて脚部１６ａの上下方向位置決めとして機能し、スリット１５に挿入された下端接合部１６ｃは、その下縁（脚部１６ａの下縁）が天井壁部３ｅの下面３ｇとほぼ面一に位置決めされる。
【００３０】
本実施形態に係る差込体５は上述したように、２枚一組のプレート材１６を平面十字形状に組み合わせて、互いに溶接接合して構成される。
【００３１】
一方のプレート材１６には、上端から下方に向けて、上下方向に縦向きの切り込み１８が形成されると共に、他方のプレート材１６には、凹部１６ｄの上端から上方へ向けて、上下方向に縦向きの切り込み１８が形成され、そしてこれら切り込み１８の長さ寸法を合わせた長さがプレート材１６における上端から凹部１６ｄに達する長さ寸法とされる。
【００３２】
２枚のプレート材１６の切り込み１８を互いに位置合わせし、これらプレート材１６同士を互いに上下方向に相対的に移動させ嵌合させることで、図７に示すように、これら２枚のプレート材１６で平面十字形状の差込体５が形成される。これらプレート材１６の切り込み１８それぞれには、柱高さ方向に沿う上下方向に、切り込み幅が狭い幅狭部１８ａと、切り込み幅が広い幅広部１８ｂとが形成される。図示例では、上下２箇所の幅狭部１８ａの間に一つの幅広部１８ｂが形成されている。
【００３３】
幅狭部１８ａの幅寸法は、一方のプレート材１６の幅狭部１８ａで他方のプレート材１６が挟持されるように、プレート材１６の厚さ寸法程度に設定される。また、幅広部１８ｂの幅寸法は、ドリフトピン１７が木質柱４の横方向に移動するのを許容するために、プレート材１６の厚さ寸法よりも大きな寸法に設定される。
【００３４】
平面十字形状に形成された差込体５は、一方のプレート材１６の表裏が左右方向に向き、他方のプレート材１６の表裏が前後方向に向くので、従って、ドリフトピン１７を挿通するための孔部１６ｂが、木質柱４の横向き前後左右方向に向かうように配列される。
【００３５】
また、差込体５には、各プレート材１６それぞれに形成された２つずつの脚部１６ａにより、４つの脚部１６ａが備えられ、従って、４つの下端接合部１６ｃが備えられる。従って、台座体３の天井壁部３ｅを形成する平板材には図５に示すように、スリット１５が４つ形成される。
【００３６】
各スリット１５は、天井壁部３ｅの周縁を画定する各辺の中央位置から天井壁部３ｅの中央へ向けて、下端接合部１６ｃの幅寸法で切り込みを入れることで、天井壁部３ｅの周縁部３ｈに形成される。天井壁部３ｅは、前方の開口６の位置を除き、面外変形しやすい中央部を避けて、左右一対の側壁部３ｂ，３ｃ及び後壁部３ｄに剛に溶接接合される周縁部３ｈにスリット１５が形成されていて、天井壁部３ｅ自体の剛性、ひいては木質柱４と連結される差込体５に作用する力に対する支持強度が高く確保される。
【００３７】
スリット１５には、天井壁部３ｅの下面３ｇに面する下縁に、差込体５であるプレート材１６の下端接合部１６ｃを天井壁部３ｅに、余盛りの少ない溶け込み溶接Ｗで接合するための開先１５ａが形成される。この開先１５ａが形成されたスリット１５に差込体５の接合下端部１６ｃを挿入して溶け込み溶接Ｗで接合することにより、図８に示すように、天井壁部３ｅの中央部を避けた位置に、言い換えれば、中央部を包囲するようにして周縁部３ｈに脚部１６ａが溶接接合される。
【００３８】
次に、本実施形態に係る木質柱用柱脚金物１の作用について説明する。柱脚金物１を製作する際には、まず、台座体３の底壁部３ａ及び左右一対の側壁部３ｂ，３ｃを構成するＵ字状材に、後壁部３ｄを構成する平板材を溶接接合する。また、２枚一組のプレート材１６を十字形状に組み付けて、これにより差込体５を形成する。
【００３９】
そして、この差込体５の下端接合部５ｃを天井壁部３ｅを構成する平板材の、開先１５ａを有するスリット１５に挿入し、天井壁部３ｅの下面３ｇ側から開先１５ａに沿って溶け込み溶接Ｗを行い、これにより差込体５を天井壁部３ｅに接合する。
【００４０】
その後、差込体５が接合された天井壁部３ｅの下面３ｇを、左右一対の側壁部３ｂ，３ｃ及び後壁部３ｄの上部に溶接接合する。これにより、前方に開口６が形成された中空箱体形状の台座体３上に差込体５が設けられた木質柱用柱脚金物１が完成する。
【００４１】
本実施形態に係る木質柱用柱脚金物１では、差込体５の下端接合部、すなわちプレート材１６の脚部１６ａの下端接合部１６ｃは、その下縁が天井壁部３ｅの下面３ｇとほぼ面一となるように、天井壁部３ｅの厚さに納まる寸法Ｈで形成されるので、中空箱体形状の台座体３内方は、天井壁部等の壁部３ａ〜３ｅで取り囲まれるだけであり、差込体５が突出することもなく、何らの突起物もないので、台座体３内方の中空の内部空間Ｓを、壁部３ａ〜３ｅの位置ぎりぎりまで、広く利用することができる。
【００４２】
この際、係止突起１６ｅが、脚部１６ａにおける下端接合部１６ｃを区分けし、そして天井壁部３ｅの上面３ｆに係止されるので、係止突起１６ｅが位置決めとなって、下端接合部１６ｃの下縁を天井壁部３ｅの下面３ｇに面一をなるようにして、差込体５が台座体３の内部空間Ｓへ突出することを確実に防止することができる。
【００４３】
差込体５の下端接合部１６ｃは、天井壁部３ｅから突出されない寸法Ｈで形成され、スリット１５に挿入されて溶接接合される際、天井壁部３ｅの下面３ｇに面するスリット１５の下縁に形成された開先１５ａで余盛りの少ない溶け込み溶接Ｗで接合されるので、これによっても、台座体３内方の中空の内部空間Ｓを広く確保することができる。
【００４４】
差込体５と天井壁部３ｅとの溶接接合を天井壁部３ｅの上面３ｆで行うと、天井壁部３ｅ上へ木質柱４を設置する際、溶接余盛りの除去や木質柱４の下面の成形など、別途の作業を要するが、本実施形態では、差込体５と天井壁部３ｅとの溶接を、天井壁部３ｅの下面３ｇで行うようにしたので、天井壁部３ｅの上面３ｆを平坦な面に維持でき、木質柱４を容易かつ適切に設置することができる。
【００４５】
本実施形態に係る木質柱用柱脚金物１を利用した施工にあっては、基礎２から上方へ突出するアンカーボルト８を、台座体３の底壁部３ａの穴部９に差し入れて、台座体３の底壁部３ａを基礎２上に設置する。
【００４６】
次に、土台となる木質梁７を、左右いずれか一方（図１中、右方）及び後方の二方から、台座体３に突き合わせ、中空箱体形状の台座体３の中空の内部空間Ｓで、前方の開口６からの作業により、後壁部３ｄ及び右方の側壁部３ｃに、スペーサ１４を介して、二方向の木質梁７をボルト１２で仮締めする。このボルト１２の仮締めと相前後して、中空箱体形状の台座体３の内部空間Ｓで、前方の開口６からの作業により、ナット１９を台座体３内方へ挿入して、アンカーボルト８に仮締めする。
【００４７】
次に、台座体３に立てて設けられる差込体５に柱高さ方向上方から木質柱４を建て込み、差込体５を木質柱４の柱脚部４ａに差し込む。このようにして、木質柱４や土台の木質梁７と、台座体３との位置取りが定まったら、アンカーボルト８と穴部９との間に、両者の位置ずれなどで生じる隙間を塞ぐ、従来周知の偏心リングパーツ２０を装着する。
【００４８】
その後、中空箱体形状の台座体３の中空の内部空間Ｓで、前方の開口６からの作業により、ナット１９をアンカーボルト８に本締めすると共に、上記ボルト１２を木質梁７に対し本締めする。これにより、本実施形態に係る木質柱用柱脚金物１がアンカーボルト８を介して基礎２上に接合固定され、これと同時に、木質梁７及び木質柱４の位置が確定される。
【００４９】
本実施形態に係る木質柱用柱脚金物１は、上述したように、台座体３の内部空間Ｓに、何らの突起物もないので、前方の開口６から実施されるアンカーボルト８へのナット１９の締結作業や木質梁７を連結するためのボルト１２の締結作業をスムーズに行うことができ、台座体３を手間なく効率よく基礎２上に設置することができて、設置作業性を格段に向上することができる。
【００５０】
その後、台座体３には、左方及び前方の二方から、残りの木質梁７が突き合わせる配置で設けられる。
【００５１】
次に、ドリフトピン１７を、ピン孔を通じて木質柱４に貫入して、差込体５の孔部１６ｂに挿通し、これにより木質柱４を木質柱用柱脚金物１と連結する。以上により、木質柱用柱脚金物１で木質柱４が支持される。
【００５２】
上述した施工手順は、一例であって、どのような手順で施工を行ってもよい。例えば、木質柱４にドリフトピン１７のピン孔等を加工するプレカット工場における作業工程で、木質柱４に、本実施形態に係る木質柱用柱脚金物１を予め連結し、柱脚金物１が取り付けられた木質柱４を現場に搬入して、基礎２上の所定の位置に建て込むようにしても良い。
【００５３】
本実施形態に係る木質柱用柱脚金物１を用いた建物では、木質柱４に作用する引き上げ力は、ドリフトピン１７を介して、台座体３上の差込体５に、上方への引き抜き力として作用する。この引き抜き力は、差込体５であるプレート材１６によって、特に、凹部１６ｄによって幅狭に形成されて木質柱４の高さ方向への引張変形能力に富んだ脚部１６ａによって支持することができ、木質柱４の負担を軽減して、構造性能を向上することができる。他方、木質柱４に作用する押し下げ力は、剛強な台座体３によって十分に支持することができる。
【００５４】
また、木質柱４と連結される差込体５が挿入されてこれを台座体３に接合するスリット１５は、天井壁部３ｅの中央部を避けて、天井壁部３ｅの周縁部３ｈに形成されていて、この周縁部３ｈは、台座体３の左右一対の側壁部３ｂ，３ｃ及び後壁部３ｄと接合される剛強な部分なので、差込体５を、面外変形が生じやすい天井壁部３ｅの中央部に接合する場合に比べて、差込体５を高い強度で台座体３に固定支持することができ、これにより、木質柱４から作用する引き抜き力を十分に負担して支持することができる。
【００５５】
差込体５が平面十字形状に形成され、これにより、ドリフトピン１７が挿通される孔部１６ｂが、木質柱４の横向き前後左右に向かうように形成されるので、木質柱４に対してドリフトピン１７を四方から多数貫入させて木質柱４と差込体５とを連結することができ、高い結合強度で木質柱４を木質柱用柱脚金物１に取り付けることができる。
【００５６】
平面十字形状の差込体５は、縦向きの切り込み１８がそれぞれ形成された２枚のプレート材１６を上下方向から互いに嵌合され、そして各切り込み１８に、一方のプレート材１６で他方のプレート材１６を挟持する幅狭部１８ａと、ドリフトピン１７が木質柱４の横方向に移動するのを許容するための幅広部１８ｂとを形成したので、幅狭部１８ａでプレート材１６同士の一体性を確保できることはもちろんのこと、幅広部１８ｂは、木質柱４に、その柱高さ方向と直交する横向きに生じ得る引張応力を緩和する作用を奏する。
【００５７】
詳細には、木質柱４は、その高さ方向（長さ方向）に繊維方向が沿う一般部分では、繊維方向に作用する引張力に対し、企図した強度を発揮するが、木材の「くせ」や節目などの部分では、繊維方向と直交する向きに引張力が作用し、それによって破壊が生じてしまうおそれがあるため、繊維方向と直交する方向の引張応力を小さくすることが好ましく、特に、ドリフトピン１７周辺で、このような引張応力の影響を少なくすることが求められる。
【００５８】
上記幅広部１８ｂは、木質柱４の柱高さ方向に差し込まれるプレート材１６に縦向きに形成される切り込み１８を幅広にして形成されていて、これにより、切り込み１８の両側の孔部１６ｂに挿通されるドリフトピン１７が、木質柱４の横方向、すなわち木質柱４の高さ方向（繊維方向）と直交する横方向に移動するのを許容するので、木質柱４に生じる繊維方向と直交する方向の引張応力を緩和して、木質柱４の破壊を防止することができる。
【００５９】
本実施形態に係る木質柱用柱脚金物１にあっては、差込体５を２枚一組のプレート材１６から平面十字形状に形成した場合について説明したが、差込体５は、１枚のプレート材１６から構成しても、あるいは、前方の開口６に対応する箇所にはスリット１５を形成せず、天井壁部３ｅが接合される左右一対の側壁部３ｂ，３ｃ及び後壁部３ｄに対応する３箇所にスリット１５を形成し、これらスリット１５に下端接合部１６ｃが挿入される形態の平面凸形態とした差込体５を用いるようにしても良い。
【符号の説明】
【００６０】
１  木質柱用柱脚金物
２  基礎
３  台座体
３ａ  底壁部
３ｅ  天井壁部
３ｇ  記天井壁部の下面
３ｈ  天井壁部の周縁部
４  木質柱
４ａ  柱脚部
５  差込体
６  開口
８  アンカーボルト
１５  スリット
１５ａ  開先
１６  プレート材
１６ｂ  孔部
１６ｃ  下端接合部
１７  ドリフトピン
１８  切り込み
１８ａ  幅狭部
１８ｂ  幅広部
Ｈ  下端接合部の天井壁部の厚さに納まる寸法
Ｗ  溶け込み溶接
【図１】
2019090166.tif 000003
【図２】
2019090166.tif 000004
【図３】
2019090166.tif 000005
【図４】
2019090166.tif 000006
【図５】
2019090166.tif 000007
【図６】
2019090166.tif 000008
【図７】
2019090166.tif 000009
【図８】
2019090166.tif 000010